(57)【要約】【課題】内炎式バーナ２と、鍋底温度センサ４と、鍋底温度センサを囲う遮熱筒５と、汁受け皿６とを備えるガスコンロであって、汁受け皿の内周に筒部６２が形成され、汁受け皿が上下反転した誤セット状態に存するとき、汁受け皿の筒部の端部が遮熱筒のテーパー状部分５１に嵌った状態で汁受け皿が支持されるものにおいて、汁受け皿が誤セット状態に存するままガスコンロを使用することを防止する。【解決手段】汁受け皿６が誤セット状態に存するときに、汁受け皿６の皿本体６１が五徳３より上方に位置するように汁受け皿６が形成される。皿本体６１の底面の一部に突起６３を設け、誤セット状態で皿本体６１に鍋Ｐを安定に載せられないようにする。また、誤セット状態が検出されたときに、内炎式バーナ２の燃焼を禁止できるようにしても良い。【選択図】図２
2008008504.tif 000002
【特許請求の範囲】
【請求項１】
環状のバーナ本体の内周に内向きに開口する多数の炎孔が設けられた内炎式バーナを備えるガスコンロであって、内炎式バーナのバーナ本体で囲われるバーナ内方空間に立設され、ガスコンロの天板上の五徳に載置する調理容器の底面に当接して調理容器の温度を検出する鍋底温度センサと、鍋底温度センサを囲う遮熱筒と、コンロ本体内に着脱自在にセットされ、バーナ内方空間に落下した煮こぼれ汁を受ける環状の汁受け皿とを備え、汁受け皿の内周に遮熱筒の外側で上方にのびる筒部が形成され、遮熱筒の少なくとも下半部が下方に向けて拡径するテーパー状に形成されていて、汁受け皿が上下反転した誤セット状態に存するとき、汁受け皿の筒部の端部が遮熱筒のテーパー状部分に嵌った状態で汁受け皿が支持されるものにおいて、
汁受け皿が誤セット状態に存するときに、汁受け皿の環状の皿本体が五徳より上方に位置するように汁受け皿が形成されていることを特徴とするガスコンロ。
【請求項２】
前記誤セット状態において上方を向く前記皿本体の底面の一部に突起が設けられていることを特徴とする請求項１記載のガスコンロ。
【請求項３】
前記誤セット状態において前記筒部が前記遮熱筒に対し傾いた状態で遮熱筒のテーパー状部分に筒部の端部が嵌るように構成されていることを特徴とする請求項１記載のガスコンロ。
【請求項４】
環状のバーナ本体の内周に内向きに開口する多数の炎孔が設けられた内炎式バーナを備えるガスコンロであって、内炎式バーナのバーナ本体で囲われるバーナ内方空間に立設され、ガスコンロの天板上の五徳に載置する調理容器の底面に当接して調理容器の温度を検出する鍋底温度センサと、鍋底温度センサを囲う遮熱筒と、コンロ本体内に着脱自在にセットされ、バーナ内方空間に落下した煮こぼれ汁を受ける環状の汁受け皿とを備え、汁受け皿の内周に遮熱筒の外側で上方にのびる、汁受け皿の着脱に際しての把手となる筒部が形成され、遮熱筒の少なくとも下半部が下方に向けて拡径するテーパー状に形成されていて、汁受け皿が上下反転した誤セット状態に存するとき、汁受け皿の筒部の端部が遮熱筒のテーパー状部分に嵌った状態で汁受け皿が支持されるものにおいて、
汁受け皿の誤セット状態を検出する検出手段と、検出手段で誤セット状態が検出されたときに内炎式バーナの燃焼を禁止する燃焼禁止手段とを備えることを特徴とするガスコンロ。
【発明の詳細な説明】
【技術分野】
【０００１】
本発明は、環状のバーナ本体の内周に内向きに開口する多数の炎孔が設けられた内炎式バーナを備えるガスコンロに関する。
【背景技術】
【０００２】
従来、この種のガスコンロとして、特許文献１により、内炎式バーナのバーナ本体で囲われるバーナ内方空間に立設され、ガスコンロの天板上の五徳に載置する調理容器の底面に当接して調理容器の温度を検出する鍋底温度センサと、鍋底温度センサを囲う遮熱筒と、コンロ本体内に着脱自在に載置され、バーナ内方空間に落下した煮こぼれ汁を受ける環状の汁受け皿とを備えるものが知られている。
【０００３】
このものでは、汁受け皿の内周に、遮熱筒の外側で遮熱筒の上端より若干高い位置まで上方にのびる筒部を形成し、筒部を外側遮熱筒として機能させて、鍋底温度センサに対する遮熱性能を高められるようにしている。また、筒部の上端に、遮熱筒の上端に対向する内曲げフランジを形成し、汁受け皿を上下反転したときは、内曲げフランジが遮熱筒の上端に干渉して、汁受け皿の誤セットが防止されるようにしている。
【０００４】
ところで、比較的小径の内炎式バーナでは、汁受け皿に従来例のような遮熱筒の上端以上の高さの筒部が形成されていると、バーナの火炎が筒部に触れて燃焼不良を生ずることがある。そのため、筒部の上端をバーナの火炎より低い位置にすることが必要になる。この場合、筒部は主として汁受け皿を着脱する際の把手として機能する。尚、筒部の高さを低くしても、遮熱筒の少なくとも下半部を下方に向かって拡径するテーパー状に形成しておけば、遮熱筒内にコンロ本体内の空気が入り易くなり、鍋底温度センサに対する十分な遮熱性能が得られる。
【０００５】
然し、このように遮熱筒をテーパー状に形成すると、汁受け皿が上下反転した誤セット状態に存するときに、筒部の端部が遮熱筒のテーパー状部分に嵌り、汁受け皿がこの状態で安定に支持されてしまう。そのため、ユーザによっては、汁受け皿が誤セット状態に存することに気付かずにガスコンロを使用してしまうことがある。その結果、煮こぼれ汁が汁受け皿に受けられないままコンロ本体内に落下したり、バーナの火炎が汁受け皿に触れて燃焼不良を生じてしまう。
【特許文献１】特開平１１−２０１４５８号公報
【発明の開示】
【発明が解決しようとする課題】
【０００６】
本発明は、以上の点に鑑み、上記したガスコンロにおいて、汁受け皿が誤セット状態に存するままガスコンロを使用することを防止できるようにすることをその課題としている。
【課題を解決するための手段】
【０００７】
本発明は、環状のバーナ本体に内周に内向きに開口する多数の炎孔が設けられた内炎式バーナを備えるガスコンロであって、内炎式バーナのバーナ本体で囲われるバーナ内方空間に立設され、ガスコンロの天板上の五徳に載置する調理容器の底面に当接して調理容器の温度を検出する鍋底温度センサと、鍋底温度センサを囲う遮熱筒と、コンロ本体内に着脱自在にセットされ、バーナ内方空間に落下した煮こぼれ汁を受ける環状の汁受け皿とを備え、汁受け皿の内周に遮熱筒の外側で上方にのびる筒部が形成され、遮熱筒の少なくとも下半部が下方に向けて拡径するテーパー状に形成されていて、汁受け皿が上下反転した誤セット状態に存するとき、汁受け皿の筒部の端部が遮熱筒のテーパー状部分に嵌った状態で汁受け皿が支持されるものにおいて、上記課題を解決するために、以下の手段を採用したことを特徴とする。
【０００８】
即ち、第１発明は、汁受け皿が誤セット状態に存するときに、汁受け皿の環状の皿本体が五徳より上方に位置するように汁受け皿が形成されていることを特徴とし、また、第２発明は、汁受け皿の誤セット状態を検出する検出手段と、検出手段で誤セット状態が検出されたときに内炎式バーナの燃焼を禁止する燃焼禁止手段とを備えることを特徴とする。
【０００９】
第１発明によれば、汁受け皿が誤セット状態に存するときは、五徳より上方に位置する皿本体が邪魔になって調理容器を五徳に載置できなくなる。これにより、ユーザに汁受け皿が誤セット状態であることを気付かせることができ、汁受け皿が誤セット状態に存するままガスコンロを使用することを防止できる。
【００１０】
また、第２発明によれば、汁受け皿が誤セット状態に存するときは、内炎式バーナを燃焼させられなくなる。従って、第２発明においても、汁受け皿が誤セット状態に存するままガスコンロを使用することを防止できる。
【００１１】
ところで、第１発明において、汁受け皿が誤セット状態に存するときに、皿本体が水平になるように汁受け皿が支持されていると、ユーザによっては皿本体に調理容器を載置した状態でガスコンロを使用してしまう可能性がある。かかる可能性を排除するため、第１発明においては、汁受け皿の誤セット状態において上方を向く皿本体の底面の一部に突起が設けられているか、汁受け皿の誤セット状態において筒部が遮熱筒に対し傾いた状態で遮熱筒のテーパー状部分に筒部の端部が嵌るように構成されていることが望ましい。これによれば、皿本体に調理容器を載置しようとしても、前者の場合は突起によって調理容器が傾き、また、後者の場合は皿本体自体の傾きで調理容器が傾くため、ユーザに汁受け皿が誤セット状態であることを確実に気付かせることができる。
【発明を実施するための最良の形態】
【００１２】
図１を参照して、１はコンロ本体(図示せず)の上面を覆う天板を示している。天板１は、セラミックガラス等のガラス板１１とその下側の金属製の裏板１２とで構成されている。また、天板１にはバーナ用開口１ａが開設されている。そして、コンロ本体内に、バーナ用開口１ａに臨ませて、環状のバーナ本体２１の内周に内向きに開口する多数の炎孔２２を設けた内炎式バーナ２を配置している。
【００１３】
バーナ本体２１の上側には二次空気用の整流板２３が配置されている。整流板２３の内周部には、径方向内方に向かって斜め上方にのびるテーパー状の筒部２３ａが形成されており、筒部２３ａの上端部が天板１のバーナ用開口１ａに周囲の隙間を存して挿入されている。かくして、炎孔２２からの混合気の噴出部にバーナ本体２１の上面と整流板２３との間の空隙を介して二次空気が供給されると共に、混合気の燃焼火炎が筒部２３ａによりバーナ用開口１ａ内に導かれ、天板１上の五徳３に載置する調理容器Ｐが加熱される。
【００１４】
天板１には、整流板２３の筒部２３ａとバーナ用開口１ａの周縁との間の隙間を上方から覆う煮こぼれ対策用のカバーリング１３が装着されている。そして、五徳３の複数の五徳爪３１を固定する環状の五徳枠３２がカバーリング１３を上方から覆うようにして天板１に着座している。カバーリング１３の下側には、該リング１３との間で天板１(ガラス板１１)の口縁部を上下から挟む抜け止めリング１４が設けられており、カバーリング１３に抜け止めリング１４をビス１５により締結することでカバーリング１３が固定される。ビス１５はカバーリング１３上の突起体１６に螺合しており、五徳枠３２に形成した位置決め孔３３を突起体１６に係合させることにより五徳３が天板１に対し位置決めされるようにしている。
【００１５】
バーナ本体２１で囲われるバーナ内方空間には鍋底温度センサ４が立設されている。鍋底温度センサ４は、コンロ本体内の図外のブラケットに取り付けられる支持パイプ４１と、支持パイプ４１の上端部に上方に付勢した状態で支持される感熱ヘッド４２とで構成され、五徳３に載置する調理容器Ｐの底面に感熱ヘッド４２が当接して、調理容器Ｐの温度が検出される。
【００１６】
バーナ内方空間には、更に、内炎式バーナ２の火炎から鍋底温度センサ４を遮熱するため、鍋底温度センサ４を囲う遮熱筒５が設けられている。遮熱筒５の下半部は下方に向けて拡径するテーパー状に形成されている。そのため、遮熱筒５内にコンロ本体内の空気が入りやすくなり、鍋底温度センサ４に対する遮熱性能が向上する。また、遮熱筒５の下端には外方に広がる皿状部５２が形成されている。そして、皿状部５２の周囲複数箇所において遮熱筒５がコンロ本体内に設けられたブラケット５３に固定される。尚、本実施形態では、遮熱筒５の下半部のみがテーパー状部分５１になっているが、遮熱筒５を上端部までテーパー状に形成することも可能である。
【００１７】
バーナ本体２１の下側には環状の皿受け枠２４が配置されており、この皿受け枠２４に、遮熱筒５を囲う環状の汁受け皿６がその皿本体６１の外周部において着座自在に載置されている。尚、皿受け枠２４は周囲複数箇所に設けた連結片部２４ａを介してバーナ本体２１に固定されている。汁受け皿６の内周には、遮熱筒５の外側で上方にのびるテーパー状の筒部６２が形成されており、筒部６２を摘んだ状態で汁受け皿６を着脱できるようにしている。汁受け皿６が図１に示す正規状態でセットされていれば、バーナ内方空間に落下した煮こぼれ汁は汁受け皿６で受けられる。また、筒部６２と遮熱筒５との間の隙間に侵入した煮こぼれ汁は遮熱筒５の下端の皿状部５２で受けられる。尚、筒部６２に内炎式バーナ２の火炎が触れることを防止するため、筒部６２の上端が火炎より低い位置になるようにしている。
【００１８】
ところで、ユーザによっては汁受け皿６を図２に示す如く上下反転した状態でセットしてしまうことがある。この場合、汁受け皿６の筒部６２の端部が遮熱筒５のテーパー状部分５１に嵌った状態で汁受け皿６が安定に支持されてしまい、汁受け皿６が誤セット状態に存することに気付かずにガスコンロを使用する可能性がある。
【００１９】
そこで、本実施形態では、汁受け皿６の筒部６２の長さを、汁受け皿６の正規セット状態で筒部６２の上端が内炎式バーナ２の火炎より低くなる範囲で可及的に長く設定し、汁受け皿６が誤セット状態に存するときは、皿本体６１が五徳３の五徳爪３１の上縁より上方に位置するようにしている。これによれば、汁受け皿６が誤セット状態に存するときは、五徳３より上方に位置する皿本体６１が邪魔になって調理容器Ｐを五徳３に載置できなくなる。そのため、ユーザに汁受け皿６が誤セット状態であることを気付かせることができ、汁受け皿６が誤セット状態に存するままガスコンロを使用することを防止できる。また、筒部６２を長くすることで、筒部６２が摘みやすくなり、汁受け皿６の着脱作業性が向上する利点もある。
【００２０】
但し、ユーザによっては、調理容器Ｐを皿本体６１に載置したままガスコンロを使用してしまう可能性がある。そのため、本実施形態では、誤セット状態で上方を向く皿本体６１の底面の一部に突起６３を設けている。これによれば、皿本体６１に調理容器Ｐを載置しようとしても、突起６３によって調理容器Ｐが傾くため、ユーザに汁受け皿６が誤セット状態であることを確実に気付かせることができる。
【００２１】
次に、図３に示す第２実施形態について説明する。第２実施形態でも、上記第１実施形態と同様に、汁受け皿６が上下反転した誤セット状態に存するときは、皿本体６１が五徳３の上方に位置するようにしている。第１実施形態と相違するのは、皿本体６１の底面に突起６３が設けられていない点と、遮熱筒５のテーパー状部分５１の上端近傍の周囲１箇所に外方に張り出す突部５４が設けられている点である。
【００２２】
第２実施形態では、汁受け皿６が誤セット状態に存するときに、汁受け皿６の筒部６２の端部の周方向１箇所が遮熱筒５の突部５４に引掛かり、筒部６２が遮熱筒５に対し傾いた状態、即ち、皿本体６１が水平姿勢から傾いた状態で、筒部６２の端部が遮熱筒５のテーパー状部分５１に嵌る。従って、皿本体６１に調理容器Ｐを載置したとき、皿本体６１の傾斜で調理容器Ｐが第１実施形態と同様に傾く。そのため、ユーザに汁受け皿６が誤セット状態であることを確実に気付かせることができる。
【００２３】
尚、第２実施形態では、遮熱筒５に突部５４を設けたが、筒部６２の端部の周方向１箇所に内方に張り出す突部を設けても良い。この場合にも、筒部６２が遮熱筒５に対し傾いた状態で、筒部６２の端部が遮熱筒５のテーパー状部分５１に嵌るようになり、第２実施形態と同様の効果が得られる。
【００２４】
次に、図４に示す第３実施形態について説明する。第３実施形態では、汁受け皿６が誤セット状態に存するときにこれを検出する検出手段７と、検出手段７で誤セット状態が検出されたときに内炎式バーナ２の燃焼を禁止する燃焼禁止手段８とが設けられている。第３実施形態において、検出手段７は、バーナ本体２１と皿受け枠２４との間に内方に向けて配置した投受光器７１と投受光器７１からの受光量信号を入力する判別回路７２とで構成されている。ここで、汁受け皿６には筒部６２を含めて琺瑯処理が施され、遮熱筒５には耐熱塗装が施されていて、筒部６２と遮熱筒５とでは光の反射率が異なる。汁受け皿６が正規セット状態に存するときは、投受光器７１からの光が筒部６２で入反射されるが、汁受け皿６が図３に仮想線で示す誤セット状態に存するときは、筒部６２が投受光器７１からの光の入射箇所より上方に位置し、光が遮熱筒５で入反射される。そのため、汁受け皿６が正規セット状態に存するときと誤セット状態に存するときとで、投受光器７１の受光量が異なり、この受光量の変化に基づいて判別回路７２により汁受け皿６が誤セット状態であるか否かが判別される。
【００２５】
燃焼禁止手段８は、判別回路７２からの信号を入力する制御回路８１と、内炎式バーナ２のガス供給路２ａに介設した誤セット対策用の電磁弁８２とで構成されている。制御回路８１は、常時は電磁弁８２を開弁させ、判別回路７２で汁受け皿６が誤セット状態と判別されたときに電磁弁８２を閉弁させる。かくして、汁受け皿６が誤セット状態に存するときは、電磁弁８２が閉弁して内炎式バーナ２へのガス供給が遮断され、該バーナ２の燃焼が禁止される。そのため、汁受け皿６が誤セット状態に存するままガスコンロを使用することを防止できる。また、汁受け皿６をセットし忘れたままガスコンロを使用することも防止できる。
【００２６】
尚、第３実施形態では、汁受け皿６の誤セット状態で皿本体６１が五徳３より上方に位置するようにしているが、誤セット状態では内炎式バーナ２の燃焼が禁止されるため、誤セット状態で皿本体６１が五徳３より下方に位置するように汁受け皿６が形成されていても問題はない。
【００２７】
また、検出手段７は上記投受光器７１を用いた光学式のものに限られない。例えば、遮熱筒５の皿状部５２に、汁受け皿６が正規セット状態に存するときに皿本体６１によってオンされるリミットスイッチや近接スイッチを配置し、このスイッチで検出手段を構成しても良い。更に、このようなスイッチの特殊な例として、遮熱筒５の皿状部５２に汁受け皿６の正規セット状態で皿本体６１に接する突部から成る接点部を形成して、汁受け皿６の正規セット状態では皿受け枠２４から汁受け皿６を介して遮熱筒５に至る電路が接点部への皿本体６１の接触で閉成されるようにすることも可能である。この場合、汁受け皿６の誤セット状態では、皿本体６１が接点部から離れて電路が開かれ、誤セット状態であることを検出できる。
【００２８】
また、燃焼禁止手段８も上記電磁弁８２を用いたものに限られない。例えば、内炎式バーナ２の点火回路に、汁受け皿６が誤セット状態に存するときにオフするスイッチを介設し、内炎式バーナ２が点火されないようにすることも可能である。更には、内炎式バーナ２の操作子に対するロック機構を設け、汁受け皿６が誤セット状態に存するときにはロック機構を作動させて、操作子の点火操作を不能にすることも可能である。
【図面の簡単な説明】
【００２９】
【図１】本発明の第１実施形態のガスコンロの要部の切断側面図。
【図２】第１実施形態のガスコンロの汁受け皿を誤セットした状態の要部の切断側面図。
【図３】第２実施形態のガスコンロの汁受け皿を誤セットした状態の要部の切断側面図。
【図４】第３実施形態のガスコンロの要部の切断側面図。
【符号の説明】
【００３０】
１…天板、２…内炎式バーナ、２１…バーナ本体、２２…炎孔、３…五徳、４…鍋底温度センサ、５…遮熱筒、５１…テーパー状部分、６…汁受け皿、６１…皿本体、６２…筒部、６３…突起、７…検出手段、８…燃焼禁止手段。
【図１】
2008008504.tif 000003
【図２】
2008008504.tif 000004
【図３】
2008008504.tif 000005
【図４】
2008008504.tif 000006